(57)【要約】【課題】操作装置としての機能を有するにもかかわらず製造コストが低い調光装置を提供する。【解決手段】調光装置１０は、ＣＰＵ１０１と、光を受光する受光素子１０５と、表示パネル１１１とを備え、受光素子１０５は、受光する光の光量が、ユーザの操作に応じて変化し、かつ、外光に応じて変化するように設けられている。ＣＰＵ１０１は、調光装置１０が設けられた乗り物が停止しているときには、受光素子１０５が受光した光の光量に応じて、ユーザの操作に応答する処理として予め定められた応答処理を実行する。一方、ＣＰＵ１０１は、乗り物が動いているときには、受光素子１０５が受光した光の光量に応じて表示パネル１１１の明るさを調節する調光制御を行う。【選択図】図１
2015030308.tif 000002
【特許請求の範囲】
【請求項１】
表示部の明るさを調節する調光装置であって、
光を受光する受光素子と、
前記受光素子が受光した光の光量に応じて前記表示部の明るさを調節する調光制御を行う制御手段と、
前記受光素子に対応する位置に設けられ、ユーザの操作が行われる操作部と、
を備え、
前記受光素子は、受光する光の光量が、前記操作部へのユーザの操作に応じて変化し、かつ、外光に応じて変化するように設けられ、
前記制御手段は、所定条件が成立しているときには、前記受光素子が受光した光の光量に応じて、前記ユーザの操作に応答する処理として予め定められた応答処理を実行し、前記所定条件が成立していないときには、前記調光制御を行う、
ことを特徴とする調光装置。
【請求項２】
前記調光装置が設けられた乗り物が停止しているか否かを示す情報を受信する受信手段をさらに備え、
前記制御手段は、前記受信手段が受信した情報が、前記乗り物が停止していることを示すときには前記所定条件が成立しているとして前記応答処理を実行し、前記乗り物が停止していないことを示すときには前記所定条件が成立していないとして前記調光制御を行う、
ことを特徴とする請求項１に記載の調光装置。
【請求項３】
前記制御手段は、第２の所定条件が成立したときには、前記所定条件が成立しているか否かにかかわらず、前記応答処理を実行しない、
ことを特徴とする請求項１又は２に記載の調光装置。
【請求項４】
前記制御手段は、前記受光素子が受光する光の光量が予め定められた光量未満であり、かつ、この状態が予め定められた時間以上維持されたときには、前記第２の所定条件が成立しているとして前記応答処理を実行しない、
ことを特徴とする請求項３に記載の調光装置。
【発明の詳細な説明】
【技術分野】
【０００１】
本発明は、調光装置に関する。
【背景技術】
【０００２】
フォトダイオードなどの受光素子を表示画面の調光に用いる調光装置が知られている。
【０００３】
例えば、特許文献１には、受光素子で検出される周囲の明るさが明るくなるにつれて、各発光領域を輝度が大きくなるように制御する乗物用の表示装置（調光装置）が開示されている。
【０００４】
また、受光素子をスイッチとして利用する入力装置が知られている。
【０００５】
例えば、特許文献２には、発光素子と受光素子を備える入力装置（操作装置）が開示されている。この入力装置は、発光素子から出力され、指で乱反射された光を受光素子で検出し、検出結果の時間的変化を基に指の動作を判断する。そして、指の動作の判断結果がスイッチ操作として出力される。
【先行技術文献】
【特許文献】
【０００６】
【特許文献１】特開２０１２−４５９８３号公報
【特許文献２】特開２００２−２８７８７０号公報
【発明の概要】
【発明が解決しようとする課題】
【０００７】
仮に、引用文献１に開示されている調光装置に、引用文献２に開示されている操作装置を適用した場合、調光装置用の受光素子と操作装置用の受光素子とが必要となり、受光素子の数が多くなってしまうので、調光装置の製造コストが増加する。
【０００８】
本発明は以上のような背景に鑑みて成されたものであり、操作装置としての機能を有するにもかかわらず製造コストが低い調光装置を提供することを目的とする。
【課題を解決するための手段】
【０００９】
上記目的を達成するために、本発明に係る調光装置は、
表示部の明るさを調節する調光装置であって、
光を受光する受光素子と、
前記受光素子が受光した光の光量に応じて前記表示部の明るさを調節する調光制御を行う制御手段と、
前記受光素子に対応する位置に設けられ、ユーザの操作が行われる操作部と、
を備え、
前記受光素子は、受光する光の光量が、前記操作部へのユーザの操作に応じて変化し、かつ、外光に応じて変化するように設けられ、
前記制御手段は、所定条件が成立しているときには、前記受光素子が受光した光の光量に応じて、前記ユーザの操作に応答する処理として予め定められた応答処理を実行し、前記所定条件が成立していないときには、前記調光制御を行う、
ことを特徴とする。
【発明の効果】
【００１０】
本発明によれば、操作装置としての機能を有するにもかかわらず製造コストが低い調光装置を提供することができる。
【図面の簡単な説明】
【００１１】
【図１】調光装置のハードウェア構成を示すブロック図である。
【図２】閾値テーブル及び基準時間テーブルを示す図である。
【図３】（ａ）は、走行用の画面を示す図である。（ｂ）は、メニュー画面を示す図である。
【図４】（ａ）は、車両用計器を示す図である。（ｂ）は、補助入力部に指が押し当てられていることを示す図である。
【図５】調光装置が実行する切替処理を示すフローチャートである。
【図６】調光装置が実行する制御処理を示すフローチャートである。
【図７】調光装置が実行する実行処理を示すフローチャートである。
【図８】調光装置が実行する調光処理を示すフローチャートである。
【図９】サブメニュー画面を示す図である。
【図１０】遷移処理を説明するための図である。
【図１１】調光装置が実行する誤作動防止処理を示すフローチャートである。
【図１２】（ａ）は、発光素子から出射された光がガラスと文字板を透過している状況を示す図である。（ｂ）は、発光素子から出射された光が指で乱反射し、受光素子に入射している状況を示す図である。
【発明を実施するための形態】
【００１２】
本発明に係る実施形態を、図面を参照して以下に説明する。
【００１３】
（実施形態）
本発明の実施形態に係る調光装置は、車両用計器として構成されており、車両が走行している場合、受光素子を用いて外光（例えば、太陽光、電灯の光など）を受光し、光の強度（光量）に応じて車両用計器が備える表示画面の輝度を変える。一方、車両が停止している場合、この調光装置は、ユーザの操作を受け付ける操作装置として機能する。以下、この調光装置の詳細を説明する。
【００１４】
まず、図１を参照して、調光装置１０の物理的な構成を説明する。調光装置１０は、図１に示すように、ＣＰＵ（Central Processing Unit）１０１と、ＲＡＭ（Random Access Memory）１０２と、ＲＯＭ（Read Only Memory）１０３と、ＲＴＣ（Real Time Clock）１０４と、受光素子（照度センサ）１０５と、電圧変換回路１０６と、メモリ１０７と、入力装置１０８と、バックライト駆動回路１０９と、バックライト１１０と、表示パネル１１１と、を備える。また、調光装置１０が備えるこれらの構成要素の一部は、バス１１２により相互に接続されている。
【００１５】
ＣＰＵ１０１は、例えば、調光装置１０の全体の動作を制御する。なお、ＣＰＵ１０１は、ＲＯＭ１０３に格納されているプログラムに従って動作し、ＲＡＭ１０２をワークエリアとして使用する。
【００１６】
ＲＡＭ１０２は、例えば、ＣＰＵ１０１のワークエリアとして機能する。つまり、ＣＰＵ１０１は、ＲＡＭ１０２にプログラムやデータを一時的に書き込み、これらのプログラムやデータを適宜参照する。
【００１７】
ＲＯＭ１０３は、例えば、調光装置１０の全体の動作を制御するためのプログラムやデータを記憶する。
【００１８】
ＲＴＣ１０４は、例えば、水晶振動子や発振回路などを備える計時用のデバイスであり、ＣＰＵ１０１などにクロック信号を出力する。ＲＴＣ１０４は、内蔵電池から電源を供給され、調光装置１０の電源がオフのときでも動作し続ける。
【００１９】
受光素子１０５は、例えば、外部から入力された光エネルギー（受光した光）を電気エネルギーに変換する光電変換素子であり、光の強度に応じた電流を電圧変換回路１０６に出力する。
【００２０】
電圧変換回路１０６は、例えば、プリント基板に形成された電子部品と配線などから構成され、受光素子１０５から供給される電流を電圧に変換する。また、電圧変換回路１０６は、変換した電圧をＣＰＵ１０１に出力する。
【００２１】
メモリ１０７は、例えば、ＥＥＰＲＯＭ（Electrically Erasable Programmable Read-Only Memory）などを備える不揮発性メモリＩＣ（Integrated Circuit）から構成されており、車両用の情報、図２に示す閾値テーブル２０１、基準時間テーブル２０２などを記憶する。なお、メモリ１０７は、不揮発性メモリＩＣに代えて、又は、不揮発性メモリＩＣに加えて、フラッシュメモリ、ハードディスクなどを備えていてもよい。
[閾値テーブル２０１について]
閾値テーブル２０１は、図２に示すように、スイッチ用閾値と誤作動防止用閾値を格納する。スイッチ用閾値とは、後述する「制御処理」において、スイッチがオンされたか否かを判別するための閾値である。誤作動防止用閾値とは、後述する「誤作動防止処理」において、スイッチが誤作動を起こす程度に周囲が暗いか否かを判別するための閾値である。
[基準時間テーブル２０２について]
基準時間テーブル２０２は、図２に示すように、長押し基準時間と、画面切替基準時間と、停止基準時間と、を格納する。長押し基準時間とは、後述する「制御処理」において、スイッチが長押しされたか否かを判別するための基準となる時間である。画面切替基準時間とは、後述する「制御処理」において、図３（ｂ）に示す「メニュー画面」を表示パネル１１１に表示するか否かを判別するための基準となる時間である。停止基準時間とは、後述する「誤作動防止処理」において、調光装置１０を操作装置として機能させることを停止するか否かを判別するための基準となる時間である。
なお、これらの閾値及び基準時間についてのより詳細な説明については、調光装置１０の動作を説明する際に説明する。
【００２２】
入力装置１０８は、例えば、各種の入力回路などから構成され、車両に設けられているＥＣＵ（Engine Control Unit）２０から車両の状態を示す各種信号を受信する受信部を備える。また、入力装置１０８は、受信した信号をＣＰＵ１０１に出力する。ＥＣＵ２０は、車両に設けられた各種センサからの信号に基づいて、車両の状態を認識し、車両の状態に応じた処理（車両の状態を示す各種信号を出力する処理を含む。）を実行する。
【００２３】
バックライト駆動回路１０９は、例えば、ＣＰＵ１０１から供給される制御信号に基づいて、バックライト１１０が備える発光素子の輝度を制御する信号をバックライト１１０に出力する。
【００２４】
バックライト１１０は、例えば、ＬＥＤ（Light Emitting Diode）などの発光素子（光源）を備え、表示パネル１１１の背面に配置されている。バックライト１１０は、バックライト駆動回路１０９から供給される信号に基づく輝度の光を表示パネル１１１に向けて出射する。つまり、バックライト１１０は、バックライト駆動回路１０９から供給される信号に応じた明るさで表示パネル１１１を照明する。
【００２５】
表示パネル１１１は、例えば、液晶表示素子を備えるＬＣＤ（Liquid Crystal Display）であり、車両用計器に配設されている。表示パネル１１１は、ＣＰＵ１０１の制御のもとで、画像を表示する。例えば、表示パネル１１１は、ＣＰＵ１０１の制御のもとで、バックライト１１０からの光の透過率を例えば表示したい画像の画素ごとに制御することで、画像を表示する。このため、表示パネル１１１の明るさ（画像の明るさ）は、バックライト１１１の明るさに依存する。
【００２６】
次に、調光装置１０が操作装置として機能する仕組みを図４を参照して説明する。
【００２７】
図４（ａ）に示す車両用計器３０には、表示パネル１１１と、表示パネル１１１の下にＥＣＵ２０から供給された信号に基づく車両の状態を表示する補助部３１と、が配設されている。また、補助部３１の内部には、任意の枠に縁取られた補助入力部３２が設けられている。そして、補助入力部３２の内部に受光素子１０５が配設されている（図４（ｂ）参照）。
なお、補助部３１には、車両の状態を表示するものとして、サイドブレーキが完全に解除されているか否かを示すブレーキ警告灯、ヘッドランプが点灯しているか否かを示すヘッドランプ表示灯などが表示される。
【００２８】
受光素子１０５は、図４（ｂ）のＡ−Ｂ方向断面図を参照すると、プリント基板３２１の上面に設けられている。プリント基板３２１は、調光装置１０の筐体内に配置されている。また、受光素子１０５への余計な光を遮蔽する遮蔽ボックス３２２（調光装置１０の筐体の一部で構成され、筒状の形状を有する。）は、受光素子１０５を囲むように、プリント基板３２１の上面側に設けられている。文字板３２３（調光装置１０の筐体の上に配置される）は、受光素子１０５の上方を覆っている。文字板３２３には、補助部３１の警告灯などが設けられている。プリント基板３２１には、発光素子などが設けられており、当該発光素子からの光で文字板３２３の警告灯などを照明して、警告灯などを点灯させる。また、文字板３２３の受光素子１０５を覆う部分は、外光が受光素子１０５に到達するように、透明（半透明であってもよい。以下、透明について同じ。）になっている。さらに、透明なガラス３２４が、文字板３２３の上面を覆っている。このような構成によって、受光素子１０５には、調光装置１０の外部からの外光が到達することになり、受光素子１０５は、当該外光を受光することができる。
なお、遮蔽ボックス３２２の内面は、この側面に入射した光が乱反射して受光素子１０５に入射するように、白色で着色されている又は筐体全体が白色で形成されている。
【００２９】
ここで、図４（ｂ）に示すように、ユーザが、指を受光素子１０５の上方のガラス３２４に押し当てると、ガラス３２４の上面の一部の領域が指で塞がれる。このため、指で塞がれた領域に入射しようとする光（外光）は、指によって遮蔽される。このように光の一部が指で遮蔽されると、受光素子１０５が受光する光の強度は、指をガラス３２４に押し当てない場合に比べて低くなる。そこで、ＣＰＵ１０１が、光の強度が所定の閾値を下回った場合に、ユーザが所定の操作を行ったと判別してやれば、調光装置１０を操作装置として利用することが可能になる。特に、補助入力部３２（ユーザの指によってふさがれる部分）は、ユーザの操作が行われる操作部となる。
【００３０】
図４（ａ）の車両用計器３０を備える車両のエンジンが起動されると、車両の各部に電力が供給される。そして、車両用計器３０として構成された調光装置１０の入力装置１０８には、ＥＣＵ２０から車両の速度（以下、車速と称す。）を示す信号が定期的に供給される。ＣＰＵ１０１は、ＥＣＵ２０からこの信号が供給されたことに応答して、図５に示す「切替処理」を開始する。以下、この切替処理を図５に示すフローチャートを参照して説明する。
【００３１】
[切替処理について]
ＣＰＵ１０１は、切替処理を開始すると、車速を示す信号に基づいて、車両が停止しているか否かを判別する（ステップＳ１０１）。例えば、ＣＰＵ１０１は、車速が０ｋｍ／ｈであるときには、車両が停止していると判別し、車速が０ｋｍ／ｈを超えるときには、車両が走行していると判別する。
ＣＰＵ１０１は、車両が停止していると判別した場合（ステップＳ１０１；Ｙｅｓ）、図８に示す「調光処理」を終了する（ステップＳ１０２）。なお、ＣＰＵ１０１は、調光処理が実行されていない場合、ステップＳ１０２の処理をスキップし、ステップＳ１０３に進む。続いて、ＣＰＵ１０１は、図６に示す「制御処理」を開始する（ステップＳ１０３）。調光装置１０は、この制御処理が開始されることによって、操作装置として機能する。さらに、ＣＰＵ１０１は、図１１に示す「誤作動防止処理」を開始し（ステップＳ１０４）、切替処理を終了する。なお、ＣＰＵ１０１は、ステップＳ１０３、ステップＳ１０４において、制御処理、誤作動防止処理が既に実行されている場合、それぞれのステップの処理をスキップする。また、誤作動防止処理については、図５〜８に示す各処理の説明を終えた後に説明する。
【００３２】
ＣＰＵ１０１は、ステップＳ１０１において、車両が走行していると判別した場合（ステップＳ１０１；Ｎｏ）、制御処理を終了し（ステップＳ１０５）、さらに、誤作動防止処理を終了する（ステップＳ１０６）。なお、ＣＰＵ１０１は、制御処理が実行されていない場合、ステップＳ１０５の処理をスキップし、ステップＳ１０６に進む。また、ＣＰＵ１０１は、誤作動防止処理が実行されていない場合、ステップＳ１０６の処理をスキップし、ステップＳ１０７に進む。そして、ＣＰＵ１０１は、調光処理を開始し（ステップＳ１０７）、切替処理を終了する。調光装置１０は、この調光処理が開始されると、周囲の明るさの変化に応じて表示パネル１１１の輝度を変える調光用の装置として機能する。
なお、ＣＰＵ１０１は、ステップＳ１０７において、調光処理が既に実行されている場合、ステップＳ１０７の処理をスキップする。
【００３３】
ＣＰＵ１０１は、ＥＣＵ２０から信号が供給されるたびに、上述した「切替処理」を開始する。そして、切替処理が実行されるたびに、車両が停止しているか否かが判別され、判別結果に応じて「制御処理」と「調光処理」のいずれかが実行される。
【００３４】
ここで、ステップＳ１０１において車両が停止していると判別され、ステップＳ１０３において制御処理が開始されたとする。以下、この制御処理を図６に示すフローチャートを参照して説明する。
【００３５】
[制御処理について]
ＣＰＵ１０１は、制御処理を開始すると、図３（ｂ）に示すように、表示パネル１１１に「メニュー画面」を表示する（ステップＳ２０１）。メニュー画面の中央には、「調光」という文字が表示された選択ボックス１１１ｅ、「時刻設定」という文字が表示された選択ボックス１１１ｆ、・・・が表示される。ユーザは、操作部（補助入力部３２）を操作することによってこれらの選択ボックスのいずれかを選択し、選択ボックスに応じた各種機能を利用できる。
例えば、ユーザが選択ボックス１１１ｅを選択すると、表示パネル１１１に図９に示す「サブメニュー画面」が表示される。サブメニュー画面の中央には、「輝度：高」という文字が表示された選択ボックス１１１ｇ、「輝度：中」という文字が表示された選択ボックス１１１ｈ、「輝度：低」という文字が表示された選択ボックス１１１ｉが表示される。ユーザは、これらの選択ボックスのうちいずれかを選択することにより、表示パネル１１１の輝度を変更できる。例えば、ユーザは、選択ボックス１１１ｇを選択することにより、選択ボックス１１１ｈ・選択ボックス１１１ｉを選択した場合に比べて、表示パネル１１１の輝度を上げることができる。なお、表示パネル１１１の輝度は、選択ボックス１１１ｈが選択された場合、選択ボックス１１１ｇが選択された場合より低くなり、選択ボックス１１１ｉが選択された場合より高くなる。また、表示パネル１１１の輝度は、選択ボックス１１１ｉが選択された場合、選択ボックス１１１ｇ・選択ボックス１１１ｈのいずれが選択された場合よりも低くなる。また、表示パネル１１１の輝度は、ユーザにより選択された輝度に変更されると、実行される処理が制御処理から調光処理に切り替わっても、輝度の変更から所定時間（例えば、１時間）が経過するまで変更されない。ユーザが好ましい輝度として選択した輝度が調光処理によってすぐ変更されてしまうとユーザにとって不都合であり、ユーザが選択した輝度を一定時間以上維持するためである。なお、所定時間が経過する前であってもユーザが輝度を変更する操作を再度行えば輝度の変更は可能である。
また、ユーザは、輝度の変更の他、図３（ｂ）に示す選択ボックス１１１ｆを選択して、時刻を設定（調整）することもできる。
以下、ユーザが図９に示す選択ボックス１１１ｉを選択して表示パネル１１１の輝度を最も低くする場合を例にとり、図６に示すステップＳ２０２以降の処理を説明する。
【００３６】
ＣＰＵ１０１は、図２（ａ）に示す閾値テーブル２０１からスイッチ用閾値（５ｍＶ）を取得し、定期的に、受光素子１０５が受光した光の強度が、スイッチ用閾値未満か否かを判別する（ステップＳ２０２）。なお、本実施形態では、ＣＰＵ１０１は、電圧変換回路１０６が算出した電圧とスイッチ用閾値とを比較して、ステップＳ２０２の判別を行う。しかしながら、光の強度がスイッチ用閾値未満か否かを判別する方法は、上述した方法に限定されず、例えば、受光素子１０５が光の強度に応じて出力した電流と、電流値によって定義されたスイッチ用閾値との比較に基づき判別する方法であってもよい。
ユーザは、表示パネル１１１の輝度を変更するため、図３（ｂ）に示す選択ボックス１１１ｅが黒色で着色されているときに、図４（ａ）に示す補助入力部３２に指を押し当てる。指が補助入力部３２に押し当てられると、受光素子１０５が受光する光の強度が低くなる。その結果、ステップＳ２０２において、ＣＰＵ１０１は、光の強度がスイッチ用閾値未満であると判別し（ステップＳ２０２；Ｙｅｓ）、当該判別を行った時刻（以下、時刻Ａと称す。）をメモリ１０７に記憶する。なお、ＣＰＵ１０１は、時刻をＲＴＣ１０４から取得する（以下、時刻の取得について同じ。）
【００３７】
次に、ＣＰＵ１０１は、図２（ｂ）に示す基準時間テーブル２０２から長押し基準時間（５秒）を取得する。さらに、ＣＰＵ１０１は、現在時刻を取得し、時刻Ａから現在時刻までに経過した時間を求め、経過した時間が長押し基準時間未満か否かを判別する（ステップＳ２０３）。即ち、ＣＰＵ１０１は、ユーザがスイッチを長押ししているか否かを判別する。ＣＰＵ１０１は、経過した時間が長押し基準時間未満であると判別した場合（ステップＳ２０３；Ｙｅｓ）、光の強度がスイッチ用閾値以上か否かを判別する（ステップＳ２０４）。このとき、指が補助入力部３２から離れていれば、受光素子１０５が受光する光の強度が、指が補助入力部３２に押し当てられている場合に比べて高くなる。その結果、ステップＳ２０４において、ＣＰＵ１０１は、光の強度がスイッチ用閾値以上であると判別する（ステップＳ２０４；Ｙｅｓ）。即ち、ＣＰＵ１０１は、スイッチがオンからオフに切り替わったと判別する。そして、スイッチがオフされたとき（即ち、指が補助入力部３２から離れたとき）、図３（ｂ）に示すメニュー画面において黒色で着色されている選択ボックスは、ユーザの操作（ユーザが指で補助入力部３２を塞ぐ操作）によって選択された選択ボックスとなる。
【００３８】
ＣＰＵ１０１は、黒色で着色されている選択ボックス（ユーザの操作によって選択された選択ボックス）に応じた処理（実行処理）を実行する（ステップＳ２０５）。ここでは、図３（ｂ）に示すように、「調光」という文字が表示された選択ボックス１１１ｅが黒色で着色されているため、表示パネル１１１の輝度をユーザが指定した輝度に変更する処理が実行される。以下、ステップＳ２０５の実行処理を、図７のフローチャートを参照して説明する。
【００３９】
[実行処理について]
ＣＰＵ１０１は、実行処理を開始すると、「遷移処理」を実行中であるか否かを判別する（ステップＳ３０１）。なお、遷移処理については、図６のステップＳ２０６の処理を説明する際に詳しく説明する。ＣＰＵ１０１は、遷移処理を実行中ではないと判別した場合（ステップＳ３０１；Ｎｏ）、ステップＳ３０２の処理をスキップして、図３（ｂ）に示す黒色で着色された選択ボックス１１１ｅに応じた処理を実行する（ステップＳ３０３）。具体的に言うと、ステップＳ３０３において、ＣＰＵ１０１は、図９に示すサブメニュー画面を表示パネル１１１に表示する。上述したように、ユーザは、サブメニュー画面に表示された選択ボックス１１１ｇ〜１１１ｉのいずれかを選択し、表示パネル１１１の輝度を変更できる。ＣＰＵ１０１は、ステップＳ３０３の処理を終了すると、図６に戻り、ステップＳ２０２の処理を再度実行する。
【００４０】
次に、指が補助入力部３２に長い時間押し当てられた場合、即ち、ユーザがスイッチを長押しした場合に実行される「遷移処理」を図１０を参照して説明する。ＣＰＵ１０１は、ステップＳ２０３において、（光の強度がスイッチ用閾値未満であると判別してから）経過した時間が長押し基準時間以上であると判別した場合（ステップＳ２０３；Ｎｏ）、遷移処理を開始する（ステップＳ２０６）。遷移処理が開始されると、一定時間が経過するごとに、黒色で着色された選択ボックスの色が白に変わり、別の選択ボックスが黒色で着色される。
例えば、図１０に示すように、「輝度：高」・「輝度：中」・「輝度：低」という文字がそれぞれ表示された選択ボックス１１１ｇ〜１１１ｉが表示パネル１１１に表示されているとする。遷移処理が開始されると、時刻Ｔ１→時刻Ｔ２→時刻Ｔ３（時刻Ｔ１→時刻Ｔ２は、時刻Ｔ１から時間が経過して時刻Ｔ２になったことを示す。）という時間の経過に応じて、黒色で着色された選択ボックスが選択ボックス１１１ｇ→選択ボックス１１１ｈ→選択ボックス１１１ｉ（選択ボックス１１１ｇ→選択ボックス１１１ｈは、黒色で着色された選択ボックスが、選択ボックス１１１ｇから選択ボックス１１１ｈに変わったことを示す。）という順番で変わる。そして、遷移処理が開始されてから終了するまで、黒色で着色された選択ボックスは、時間の経過に応じて順次変わり続ける。
【００４１】
スイッチが長押しされた後、指が補助入力部３２から離れた場合、即ち、ユーザがスイッチをオフにした場合、ステップＳ２０４において光の強度がスイッチ用閾値以上であると判別され（ステップＳ２０４；Ｙｅｓ）、ステップＳ２０５において「実行処理」が開始される。
【００４２】
ＣＰＵ１０１は、図７に示す実行処理を開始すると、遷移処理を実行中か否かを判別し（ステップＳ３０１）、遷移処理を実行中であると判別した場合（ステップＳ３０１；Ｙｅｓ）、遷移処理を終了する（ステップＳ３０２）。ここで、時刻Ｔ３で指が補助入力部３２から離れた、即ち、時刻Ｔ３でスイッチがオンからオフになったとする。この場合、時刻Ｔ３で遷移処理が終了し、表示パネル１１１には、図１０の右の図が示すように、選択ボックス１１１ｉが黒色で着色されたサブメニュー画面が表示される。そして、サブメニュー画面において黒色で着色された選択ボックス１１１ｉは、ユーザの操作によって選択された選択ボックスとなる。続いて、ＣＰＵ１０１は、「輝度：低」という文字が表示された選択ボックス１１１ｉ（ユーザの操作によって選択された選択ボックス）に応じた処理を実行する（ステップＳ３０３）。具体的に言うと、ＣＰＵ１０１は、表示パネル１１１の輝度を、選択ボックス１１１ｇ・選択ボックス１１１ｈが選択された場合に比べて低くする。なお、以上の手順で変更された表示パネル１１１の輝度は、上述したように、輝度の変更から所定時間（例えば、１時間）が経過するまで、調光処理によって変更されない。次に、ＣＰＵ１０１は、図６に戻り、ステップＳ２０２の処理を再度実行する。
【００４３】
ＣＰＵ１０１は、光の強度がスイッチ用閾値以上であると判別した場合（ステップＳ２０２；Ｎｏ）、図２（ｂ）に示す基準時間テーブル２０２から画面切替基準時間（１分）を取得する。また、ＣＰＵ１０１は、現在時刻を取得し、表示パネル１１１に新たな画面を表示した時刻（当該時刻は、新たな画面が表示されたときにＣＰＵ１０１によりメモリ１０７に記憶される。）から現在時刻までに経過した時間を求め、経過した時間が画面切替基準時間未満か否かを判別する（ステップＳ２０７）。ＣＰＵ１０１は、経過した時間が画面切替基準時間未満であると判別した場合（ステップＳ２０７；Ｙｅｓ）、ステップＳ２０２の処理を再度実行する。一方、ＣＰＵ１０１は、経過した時間が画面切替基準時間以上であると判別した場合（ステップＳ２０７；Ｎｏ）、図３（ｂ）に示すメニュー画面を表示パネル１１１に表示する（ステップＳ２０１）。つまり、同じ画面（例えば、図９に示すサブメニュー画面）が長時間表示されている場合には、画面表示を自動的にメニュー画面（メイン画面）に切り替える。
【００４４】
なお、ステップＳ２０４において、光の強度がスイッチ用閾値未満である場合（ステップＳ２０４；Ｎｏ）、ステップＳ２０３の処理が再度実行される。従って、スイッチがオンされた場合、オンからオフに切り替わるまで、スイッチが長押しされているか否かが繰り返し判別される。
また、ステップＳ２０６において、ＣＰＵ１０１は、遷移処理が実行中である場合、ステップＳ２０６の処理をスキップし、ステップＳ２０４に進む。
【００４５】
上述したように、車両が停止している場合、制御処理が開始され、調光装置１０が操作装置として機能する。そして、ユーザの操作により選択された各種処理が実行される。
【００４６】
なお、ＣＰＵ１０１は、制御処理を実行中であっても、ＥＣＵ２０から車速を示す信号が供給されるたびに、図５に示す「切替処理」を開始する。ここで、停止していた車両が走行を開始したとする。車両が走行すると、車両が走行していることを示す信号がＥＣＵ２０から入力装置１０８に供給される。その結果、ＣＰＵ１０１は、図５のステップＳ１０１において、車両が走行していると判別する（ステップＳ１０１；Ｎｏ）。そして、ＣＰＵ１０１は、制御処理と誤作動防止処理を終了し（ステップＳ１０５、ステップＳ１０６）、図８に示す「調光処理」を開始する（ステップＳ１０７）。上述したように、調光装置１０は、調光処理が開始されると、周囲の明るさの変化に応じて表示パネル１１１の輝度を変更する調光用の装置として機能する。以下、この調光処理を図８に示すフローチャートを参照して説明する。
【００４７】
[調光処理について]
ＣＰＵ１０１は、調光処理を開始すると、図３（ａ）に示す走行用の画面を表示パネル１１１に表示する（ステップＳ４０１）。走行用の画面には、車速（５０ｋｍ／ｈ）１１１ａ、車両の総走行距離（１０００ｋｍ）１１１ｂ、燃料計１１１ｃなどが表示される。続いて、ＣＰＵ１０１は、受光素子１０５が受光した光の強度に応じた表示パネル１１１の輝度を図１に示すメモリ１０７から取得する（ステップＳ４０２）。ステップＳ４０２の処理をより詳細に説明すると、受光素子１０５・電圧変換回路１０６が光の強度に応じた電圧を求め、求まった電圧を電圧変換回路１０６がＣＰＵ１０１に出力し、ＣＰＵ１０１が供給された電圧に応じた表示パネル１１１の輝度をメモリ１０７から取得する。そして、ＣＰＵ１０１は、表示パネル１１１の輝度に基づく制御信号を図１に示すバックライト駆動回路１０９に出力し（ステップＳ４０３）、ステップＳ４０２の処理を再度実行する。
バックライト駆動回路１０９は、ＣＰＵ１０１から供給される制御信号に基づいて、バックライト１１０が備える発光素子の輝度を制御する信号をバックライト１１０に出力する。また、バックライト１１０は、バックライト駆動回路１０９から供給される信号に基づく輝度の光を表示パネル１１１に向けて出射する。
以上説明した調光処理により、表示パネル１１１の輝度は、周囲の明るさの変化に応じて自動的に変化する。
【００４８】
次に、調光装置１０が操作装置として機能している際、誤作動を起こすことを防止する仕組みについて説明する。なお、この仕組みは、ステップＳ１０４の処理で実現される。
ユーザが図４（ａ）に示す補助入力部３２に指を押し当てると、指を押し当てない場合に比べて受光素子１０５が受光する光の強度が低くなる。このとき、図６のステップＳ２０２において、受光素子１０５が受光した光の強度がスイッチ用閾値未満であると判別される。即ち、スイッチがオンされたと判別される。しかしながら、周囲が暗く、受光素子１０５に僅かな光しか入射されない場合、指が押し当てられていない状態で受光素子１０５が受光する光の強度は、スイッチ用閾値を僅かに超える値となる。このような場合、受光する光の強度の僅かな揺らぎによって、光の強度がスイッチ用閾値を下回り、指を押し当てていないにもかかわらず、スイッチがオンしたと判別される可能性がある。即ち、操作装置として機能する調光装置１０が誤作動を起こす可能性がある。以下、このような誤作動を防止する「誤作動防止処理」を図１１に示すフローチャートを参照して説明する。
【００４９】
［誤作動防止処理について］
ＣＰＵ１０１は、図５に示す切替処理において、車両が停止していると判別した場合、ステップＳ１０４において、図１１に示す誤作動防止処理を開始する。
まず、ＣＰＵ１０１は、図２（ａ）に示す閾値テーブル２０１からスイッチ用閾値（５ｍＶ）と誤作動防止用閾値（６ｍＶ）を取得する。なお、誤作動防止用閾値からスイッチ用閾値を引いた値は、光の強度の揺らぎに比べて、十分大きい値であることが望ましい。さらに、ＣＰＵ１０１は、図２（ｂ）に示す基準時間テーブル２０２から停止基準時間（３０秒）を取得する（ステップＳ５０１）。
【００５０】
次に、ＣＰＵ１０１は、受光素子１０５が受光した光の強度が、スイッチ用閾値以上、かつ、誤作動防止用閾値未満か否かを判別する（ステップＳ５０２）。ＣＰＵ１０１は、光の強度が、スイッチ用閾値以上、かつ、誤作動防止用閾値未満であると判別した場合（ステップＳ５０２；Ｙｅｓ）、現在時刻を第１時刻として取得する（ステップＳ５０３）。続けて、ＣＰＵ１０１は、光の強度が、スイッチ用閾値以上、かつ、誤作動防止用閾値未満か否かを再度判別する（ステップＳ５０４）。ＣＰＵ１０１は、光の強度が、スイッチ用閾値以上、かつ、誤作動防止用閾値未満であると判別した場合（ステップＳ５０４；Ｙｅｓ）、現在時刻を第２時刻として取得する（ステップＳ５０５）。
【００５１】
そして、ＣＰＵ１０１は、第１時刻から第２時刻までに経過した時間を求め、経過した時間が停止基準時間以上か否かを判別し（ステップＳ５０６）、経過した時間が停止基準時間未満であると判別した場合（ステップＳ５０６；Ｎｏ）、ステップＳ５０４の処理を再度実行する。そして、ステップＳ５０４の処理で、光の強度が、スイッチ用閾値以上、かつ、誤作動防止用閾値未満であると判別された場合、第２時刻が現在時刻に更新される（ステップＳ５０５）。
【００５２】
次に、ＣＰＵ１０１は、ステップＳ５０６の処理を再度実行し、第１時刻から第２時刻までに経過した時間が停止基準時間以上であると判別した場合（ステップＳ５０６；Ｙｅｓ）、切替処理と制御処理を終了し（ステップＳ５０７、ステップＳ５０８）、調光処理を開始する（ステップＳ５０９）。つまり、ＣＰＵ１０１は、第１時刻から第２時刻までに経過した時間が停止基準時間以上である場合、光の強度の揺らぎにより誤作動が起こりやすい状況が長時間続いていることになるため、強制的に、調光装置１０を操作装置として機能させることを止め、調光用の装置として機能させる。
【００５３】
また、ＣＰＵ１０１は、ステップＳ５０７〜Ｓ５０９の処理を実行した後、光の強度が誤作動防止用閾値以上か否かを判別し（ステップＳ５１０）、光の強度が誤作動防止用閾値未満であると判別した場合（ステップＳ５１０；Ｎｏ）、ステップＳ５１０の処理を再度実行する。つまり、ＣＰＵ１０１は、光の強度が誤作動防止用閾値以上になるまで、ステップＳ５１０における判別を繰り返す。そして、ＣＰＵ１０１は、光の強度が誤作動防止用閾値以上であると判別した場合（ステップＳ５１０；Ｙｅｓ）、ステップＳ５０７で強制的に終了させた切替処理を開始し（ステップＳ５１１）、ステップＳ５０２の処理を再度実行する。
【００５４】
なお、ＣＰＵ１０１は、ステップＳ５０２、ステップＳ５０４において、光の強度がスイッチ用閾値以上、かつ、誤作動防止用閾値未満ではないと判別した場合（ステップＳ５０２；Ｎｏ、ステップＳ５０４；Ｎｏ）、ステップＳ５０２の処理を再度実行する。
【００５５】
本実施形態によれば、調光装置１０は、車両が走行している場合、調光用の装置として機能し、車両が停止している場合、操作装置として機能する。従って、調光装置用、操作装置用の受光素子をそれぞれ調光装置１０に設けなくても、操作装置としての機能を有する調光装置１０が実現される。このため、調光装置１０は、従来の操作装置としての機能を有する調光装置より少ない数の受光素子で操作装置・調光用の装置として機能し、調光装置１０の構造は従来のものより簡略化される。また、構造が簡略化されることにより、操作装置としての機能を有する調光装置１０を低コストで製造することが可能となる。
【００５６】
また、本実施形態に係る調光装置１０は、外光を調光用の入力として使用するため、発光素子及び発光駆動回路が不要である。従って、発光素子の光を入力として利用するものに比べて、調光装置１０を低コストで製造することが可能となる。
【００５７】
さらに、本実施形態によれば、受光素子１０５がスイッチとして利用されるため、スイッチゴム、タクタイルスイッチ、キートップなどを調光装置１０に設ける必要がない。従って、調光装置１０を、防水性・防爆性・防塵性・耐薬品性を有する構造にすることが可能となる。
【００５８】
また、本実施形態によれば、操作装置として機能する調光装置１０が、夜間などに、周囲が暗いことに起因して誤作動を起こすことを防止することが可能となる。
【００５９】
この実施形態では、上記の構成によって、調光装置１０は、光を受光する受光素子（ここでは、受光素子１０５）と、前記受光素子が受光した光の光量に応じて前記表示部の明るさを調節する調光制御を行う制御手段（ここでは、ステップＳ４０２の処理、ステップＳ４０３の処理を行うＣＰＵ１０１）と、前記受光素子に対応する位置に設けられ、ユーザの操作が行われる操作部（ここでは、補助入力部３２又はガラス３２４）と、を備え、前記受光素子は、受光する光の光量が、前記操作部へのユーザの操作に応じて変化し、かつ、外光に応じて変化するように設けられ（例えば、図４、図１２などを参照）、前記制御手段は、所定条件が成立しているときには、前記受光素子が受光した光の光量に応じて、前記ユーザの操作に応答する処理として予め定められた応答処理を実行し、前記所定条件が成立していないときには、前記調光制御を行う（ここでは、ステップＳ１０１の判別結果に応じて、ステップＳ２０５の実行処理又はステップＳ１０７の調光処理を実行するＣＰＵ１０１）、ことになる。
【００６０】
このような構成にすれば、操作装置用の受光素子と調光装置用の受光素子とを設けなくても、操作装置としての機能を有する調光装置１０が実現される。このため、操作装置としての機能を有する調光装置１０を低いコストで製造することが可能となる。
【００６１】
なお、前記所定条件は、この実施形態のような車両の停止／走行に関連するものでなくてもよい。例えば、調光装置１０に所定のスイッチを設け、このスイッチがオンになったときに（例えば、ユーザが調光装置１０を操作装置として機能させたいと考えて当該スイッチをオンしたときに）、所定条件が成立したとしてもよい。また、車両の走行速度が、低速になった場合に所定条件が成立したとしてもよい。
【００６２】
また、この実施形態では、上記構成によって、調光装置１０が、前記調光装置が設けられた乗り物が停止しているか否かを示す情報を受信する受信手段（ここでは、入力装置１０８）をさらに備え、前記制御手段は、前記受信手段が受信した情報が、前記乗り物が停止していることを示すときには前記所定条件が成立しているとして前記応答処理を実行し、前記乗り物が停止していないことを示すときには前記所定条件が成立していないとして前記調光制御を行う（ここでは、ステップＳ１０１の判別結果に応じて、ステップＳ２０５の実行処理又はステップＳ１０７の調光処理を実行するＣＰＵ１０１）、ようにしてもよい。
【００６３】
このような構成によれば、乗り物が停止しているときに操作装置として利用できる。乗り物が停止しているときには、運転者などが調光装置１０を操作しやすい。一方で、乗り物が動いている場合、運転者などが操作を行うと前方が不注意になったりする。上記構成によれば、乗り物が動いている場合には、操作が受け付けされないので、上記不都合が解消される。
【００６４】
また、この実施形態では、上記構成によって、前記制御手段は、第２の所定条件が成立したときには、前記所定条件が成立しているか否かにかかわらず、前記応答処理を実行しない（ここでは、ステップＳ５０２の条件が成立した場合、切替処理及び制御処理を終了するＣＰＵ１０１）、ようにしてもよい。
【００６５】
このような構成によれば、応答処理の実行を強制的に制限できる。
【００６６】
なお、前記第２の所定条件は、発光素子が調光装置１０に設けられていない場合、例えば、受光素子１０５が受光する光の光量が予め定められた第１の光量以上、予め定められた第２の光量未満（ただし、第１の光量＜第２の光量）であり、かつ、この状態が予め定められた時間以上維持されたこと、である。以下、前記第２の所定条件をこのように例示する理由を説明する。
上記実施形態で説明したように、調光装置１０において、指が操作部に押し当てられると、受光素子１０５で受光する光の光量が低下する。そこで、制御手段は、光の光量が前記第１の光量未満になったときに、ユーザの操作があったものとして、この操作に応答する処理（応答処理）を実行することができる。しかし、周囲が暗く、指が操作部に押し当てられていないときの光の光量が前記第１の光量を僅かに超える程度である場合、受光する光の光量が揺らぐことで前記第１の光量を下回る可能性があり、誤作動が発生し易い。そこで、このように誤作動が発生し易い状態が一定時間以上続いたとき、調光装置１０を操作装置として機能させないようにするために、前記第２の所定条件を上記のように例示し、この条件が成立したときには、前記応答処理を実行させないこととした。
一方、調光装置１０に、図１２（ａ）に示すように発光素子１１３が設けられている場合、指が操作部に押し当てられると光の光量が増加する（なお、光量が増加する原理については後述する）。そこで、制御手段は、光の光量が前記第１の光量以上になったときに、ユーザの操作があったものとして、前記応答処理を実行することができる。しかし、周囲が明るく、指が操作部に押し当てられていないときの光の光量が前記第１の光量を僅かに下回る程度である場合、受光する光の光量が揺らぐことで前記第１の光量を超える可能性があり、誤作動が発生し易い。そこで、このように誤作動が発生し易い状態が一定時間以上続いたときには、調光装置１０を操作装置として機能させないようにするために、前記第２の所定条件を、例えば、受光素子１０５が受光する光の光量が前記第１の光量未満、予め定められた第３の光量以上（ただし、第１の光量＞第３の光量）であり、かつ、この状態が予め定められた時間以上維持されたこと、としてもよい。
【００６７】
また、この実施形態では、上記構成によって、前記制御手段は、前記受光素子が受光する光の光量が予め定められた光量未満であり、かつ、この状態が予め定められた時間以上維持されたときには、前記第２の所定条件が成立しているとして前記応答処理を実行しない（ここでは、ステップＳ５０２、ステップＳ５０４、ステップＳ５０６の条件が成立した場合、切替処理及び制御処理を終了するＣＰＵ１０１）、ようにしてもよい。
【００６８】
このような構成によれば、操作装置としての調光装置１０が、周囲が暗いことに起因して誤作動を起こすことを防止できる。
【００６９】
なお、この発明は、上記の実施形態に限定されず、種々の変形（構成要素の削除を含む）及び応用が可能である。
【００７０】
上記実施形態では、受光素子１０５が受光した外光の強度に基づいてスイッチのオンとオフを判別する例を示した。本発明において、プリント基板３２１に設けた発光素子１１３（図１２（ａ）参照）から出射される光を受光素子１０５が受光し、受光した光の強度に基づいてスイッチのオンとオフを判別してもよい。
例えば、図１２（ａ）に示すように、プリント基板３２１に発光素子１１３を設けたとすると、発光素子１１３から出射された光は、文字板３２３及びガラス３２４を透過する。
ここで、図１２（ｂ）に示すように、指がガラス３２４の上面に押し当てられると、発光素子１１３から出射された光が指で乱反射し、乱反射した光の一部が受光素子１０５に入射する。このため、受光素子１０５が受光する光の強度は、指がガラス３２４に押し当てられていない場合に比べて高くなる。従って、ＣＰＵ１０１は、光の強度がスイッチのオンとオフを判別する基準となるスイッチ用閾値以上である場合に、スイッチがオンされたと判別すれば、調光装置１０を操作装置として機能させることができる。
ただし、受光素子１０５に入射する外光の強度は、指がガラス３２４に押し当てられた場合、指がガラス３２４に押し当てられていない場合に比べて低くなる。従って、発光素子１１３から出射される光の強度は、発光素子１１３から受光素子１０５に入射する光の強度が受光素子１０５に入射する外光の強度に比べて十分高くなる程度に高いことが望ましい。
また、図１２（ａ）に示すように、発光素子１１３を受光素子１０５の近傍に設けると、発光素子１１３から出射された光の一部が受光素子１０５に直接入射する。従って、受光素子１０５が受光する光の光量は、発光素子１１３から直接入射した光の光量と外光（太陽光など）の光量との和になる。よって、周囲の明るさに応じて調光を行うためには、受光素子１０５が受光する光の光量から、発光素子１１３から受光素子１０５に直接入射した光の光量を引いた値に応じて、表示パネル１１１の輝度を変更する必要がある。そこで、受光素子１０５の近傍に発光素子１１３が設けられた場合、発光素子１１３から受光素子１０５に直接入射する光の光量を予め測定しておき、測定により求めた光量を受光素子１０５が受光した光の光量から引いた値に応じて、表示パネル１１１の輝度を変更する。
【００７１】
また、上記実施形態では、受光素子１０５が受光した光の強度に基づいてスイッチのオンとオフを判別し、また、受光した光の強度に応じて表示パネル１１１の自動調光を行う例を示した。本発明において、例えば、複数の受光素子を受光素子１０５の近傍のプリント基板３２１に配設し、それぞれの受光素子が受光する光の強度の平均値に基づいて、スイッチのオンとオフを判別してもよい。また、それぞれの受光素子が受光した光の強度の平均値に応じて表示パネル１１１の自動調光を行ってもよい。なお、上述した「複数の受光素子」は、図４（ｂ）に示すように指がガラス３２４の上面に押し当てられた場合、それぞれの受光素子が受光する光の強度が図２（ａ）に示すスイッチ用閾値未満になるように、受光素子１０５の近傍に配設されることが望ましい。
【００７２】
また、上記実施形態では、車速を示す信号（以下、信号１と称す。）に基づいて車両が停止しているか否かを判別する例を説明したが、車両が停止しているか否かを示す信号であれば、車両のセレクトレバーのレンジ位置（ニュートラル位置、パーキング位置など）を示す信号（以下、信号２と称す。）に基づいて車両が停止しているか否かを判別してもよい。また、スタンドスイッチのオン又はオフを示す信号（以下、信号３と称す。）に基づいて車両が停止しているか否かを判別してもよい。
また、上述した信号１〜３から選択した複数の信号（信号１と信号２、信号１と信号３、信号２と信号３、又は、信号１〜３）に基づいて車両が停止しているか否かを判別してもよい。
【００７３】
上記実施形態では、ユーザの操作に応じて、表示パネル１１１の輝度をユーザが指定した輝度に変更する、又は、時刻を設定する例を示した。本発明において、ユーザの操作に応じて実行される処理は、輝度を変更する処理、時刻を設定する処理に限定されず、例えば、表示パネル１１１に表示される画面を、オドメータを表示する画面からトリップメータを表示する画面に切り替える処理であってもよい。
【００７４】
また、上記実施形態では、スイッチが長押しされたことに応じて実行される処理の典型例が、ステップＳ２０６における遷移処理であると説明した。しかしながら、スイッチが長押しされたことに応じて実行される処理は、この典型例に限定されず、例えば、表示パネル１１１に表示されたカーソルを移動させる処理であってもよい。また、例えば、トリップメータなどの値をリセットする処理であってもよい。なお、上述したカーソルを移動させるためにスイッチを長押しする操作は、「カーソル移動操作」であり、トリップメータなどの値をリセットするためにスイッチを長押しする操作は、「リセット操作」である。
【００７５】
また、上記実施形態では、調光装置１０に設けられた受光素子１０５は、スイッチとして機能することを説明した。従って、調光装置１０は、スイッチに係るオン・オフ操作を受け付けるために、可動型のスイッチを必要とせず、耐久性や防水性に優れる。このため、調光装置１０は、例えば、建機やオートバイ用の計器として最適の構造を有する。よって、調光装置１０は、車両用計器３０として構成されてもよいし、建機やオートバイ用の計器として構成されてもよい。
【００７６】
また、受光素子１０５は、光電変換素子であれば、どのような素子であってもよい。例えば、受光素子１０５は、フォトダイオード、フォトトランジスタ、又は、フォトカプラであってよい。
【００７７】
また、本発明において、補助入力部３２に指が強く押し当てられた場合と補助入力部３２に指が僅かに接触した場合（半押しされた場合）とで異なる処理を実行してもよい。例えば、指が強く押し当てられた場合、ユーザの操作で選択された処理（表示パネル１１１の輝度を変更する処理など）を実行し、指が僅かに接触した場合、表示パネル１１１に図３（ｂ）に示すメニュー画面を表示する処理を実行してもよい。なお、ＣＰＵ１０１は、例えば、受光素子１０５が受光した光の光量が第１の所定光量未満のときに、指が強く押し当てられたと判別し、第１の所定光量以上、かつ、第２の所定光量未満（なお、第２の所定光量は、第１の所定光量より大きく、かつ、指が補助入力部３２に押し当てられていないときに受光素子１０５が受光する光の光量より小さい値をとる。）のときに、指が僅かに接触したと判別してもよい。
【００７８】
また、上記実施形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical disc）などのコンピュータ読み取り可能な記録媒体に格納して配布し、そのプログラムをインストールすることにより、上述の処理を実行するシステムを構成することとしてもよい。
【００７９】
また、プログラムをインターネットなどの通信ネットワーク上の所定のサーバ装置が有するディスク装置などに格納しておき、例えば、搬送波に重畳させて、ダウンロードなどするようにしてもよい。
【００８０】
なお、上述の機能を、ＯＳ（Operating System）が分担して実現する場合又はＯＳとアプリケーションとの協働により実現する場合などには、ＯＳ以外の部分のみを媒体に格納して配布してもよく、また、ダウンロードなどしてもよい。
【符号の説明】
【００８１】
１０          調光装置
２０          ＥＣＵ
３０          車両用計器
３１          補助部
３２          補助入力部
１０１        ＣＰＵ
１０２        ＲＡＭ
１０３        ＲＯＭ
１０４        ＲＴＣ
１０５        受光素子
１０６        電圧変換回路
１０７        メモリ
１０８        入力装置
１０９        バックライト駆動回路
１１０        バックライト
１１１        表示パネル
１１２        バス
１１３        発光素子
２０１        閾値テーブル
２０２        基準時間テーブル
１１１ａ      車速
１１１ｂ      車両の総走行距離
１１１ｃ      燃料計
１１１ｅ〜ｉ  選択ボックス
３２１        プリント基板
３２２        遮蔽ボックス
３２３        文字板
３２４        ガラス
【図１】
2015030308.tif 000003
【図２】
2015030308.tif 000004
【図３】
2015030308.tif 000005
【図４】
2015030308.tif 000006
【図５】
2015030308.tif 000007
【図６】
2015030308.tif 000008
【図７】
2015030308.tif 000009
【図８】
2015030308.tif 000010
【図９】
2015030308.tif 000011
【図１０】
2015030308.tif 000012
【図１１】
2015030308.tif 000013
【図１２】
2015030308.tif 000014